(57)【要約】  【課題】非居住区の天井壁という高い位置に配設された主横排水管を、非居住区に対してなんら影響を与えることなく容易に洗浄できるようにする。  【解決手段】建物Ｔは、低層階（１Ｆ）が非居住区とされると共に高層階（２Ｆ〜ＮＦ）が居住区とされる。居住区からの排水を下方へ導く複数本の縦排水管１が、非居住区となる１階の天井壁に沿って配設された主横排水管３に接続される。主横排水管３に設けた洗浄液を噴射するための噴射ノズル１０に対して、供給管２０を介して洗浄液が供給される。供給管２０は、１階の天井壁に沿って配設されて、その端部は、建物Ｔの低所に設定された所定位置（接続ボックス３０）にまで延びるポンプ接続部２０ａ（図５）とされる。【選択図】  図１
2020012307.tif 000002
【特許請求の範囲】
【請求項１】
低層階が非居住区とされると共に該低層階の上に構築された高層階が居住区とされた建物の排水管洗浄構造であって、
前記居住区からの排水を下方へ導く縦排水管が、横方向に間隔をあけて複数本設けられ、
複数本の前記縦排水管が接続されて排水を下水道へ向けて流すための主横排水管が、前記非居住区の天井壁に沿って配設され、
前記主横排水管に、該主横排水管内に対して排水方向に向けて洗浄液を噴射するための噴射ノズルが設けられ、
前記噴射ノズルに洗浄液を供給する供給管が、前記天井壁に沿って配設されると共に、その先端部が建物の低所に設定された所定位置にまで延びるように配設され、
前記供給管の先端部が、洗浄液を供給するための洗浄液用ポンプが接続されるポンプ接続部とされている、
ことを特徴とする建物の排水管洗浄構造。
【請求項２】
請求項１において、
前記ポンプ接続部に対して、前記洗浄液用ポンプが常時接続され、
前記建物には、前記洗浄液用ポンプの作動を制御するためのコントローラが配設されている、
ことを特徴とする建物の排水管洗浄構造。
【請求項３】
請求項２において、
前記コントローラに、マニュアル操作されるポンプ用スイッチが接続され、
前記ポンプ用スイッチの操作に応じて、前記洗浄液用ポンプの作動と作動停止とが切換えられる、
ことを特徴とする建物の排水管洗浄構造。
【請求項４】
請求項２または請求項３において、
前記コントローラに、マニュアル操作によって設定時間が変更可能なタイマが接続され、
前記コントローラは、前記タイマの設定時間経過毎に、前記洗浄液用ポンプを作動させて前記噴射ノズルから洗浄液を噴射させる制御を行う、
ことを特徴とする建物の排水管洗浄構造。
【請求項５】
請求項２ないし請求項４のいずれか１項において、
前記噴射ノズルは、前記主横排水管に対して上下方向に変位可能に設けられて、その噴射口の前記主横排水管内での高さ位置が変更可能とされ、
前記噴射ノズルを上下方向に駆動変位させるためのアクチュエータが設けられ、
前記アクチュエータの作動が、前記コントローラによって制御される、
ことを特徴とする建物の排水管洗浄構造。
【請求項６】
請求項１において、
前記所定位置が、前記建物の周囲のうち、前記ポンプ接続部に接続される洗浄液用ポンプを搭載した車両が進入可能な位置またはその近傍とされている、ことを特徴とする建物の排水管洗浄構造。
【請求項７】
請求項６において、
前記噴射ノズルは、前記主横排水管に対して上下方向に変位可能に設けられて、その噴射口の前記主横排水管内での高さ位置が変更可能とされ、
前記噴射ノズルを上下方向に駆動変位させるためのエア作動式のアクチュエータが設けられ、
前記アクチュエータにエア圧を給排するためのエア配管が、前記天井壁に沿って配設されると共に、その先端部が前記所定位置にまで延びており、
前記エア配管の先端部が、エアポンプに接続されるエア接続部とされている、
ことを特徴とする建物の排水管洗浄構造。
【請求項８】
請求項１ないし請求項７のいずれか１項において、
前記噴射ノズルが、前記主横排水管の長手方向に間隔をあけて複数個設けられ、
複数の前記噴射ノズルが、前記供給管に対して並列に接続されている、
ことを特徴とする建物の排水管洗浄構造。
【請求項９】
請求項１ないし請求項７のいずれか１項において、
前記噴射ノズルが、前記主横排水管の長手方向に間隔をあけて複数個設けられ、
前記複数の噴射ノズルが、前記主横排水管に対して固定された固定配置とされ、
前記複数の噴射ノズルは、前記主横排水管の下流側に位置するほど、該主横排水管内での高さ位置が低い位置となるように設定されている、
ことを特徴とする建物の排水管洗浄構造。
【請求項１０】
請求項１ないし請求項７のいずれか１項において、
前記噴射ノズルが、前記主横排水管の長手方向に間隔をあけて複数個設けられ、
複数の前記噴射ノズルが、前記主横排水管に対して固定された固定配置とされ、
複数の前記噴射ノズルは、前記主横排水管内の高い位置に位置設定されると共にその噴射口の指向方向が斜め下方に向かうように設定されている、
ことを特徴とする建物の排水管洗浄構造。
【請求項１１】
請求項１ないし請求項１０のいずれか１項において、
前記噴射ノズルの近傍において、前記主横排水管の周囲の空気を該主横排水管内に吸い込むための空気孔が形成され、
前記噴射ノズルから噴射される洗浄水が、前記空気孔から空気を吸い込んでエアジェット流として前記主横排水管内を流れる、
ことを特徴とする建物の排水管洗浄構造。
【請求項１２】
請求項１ないし請求項１１のいずれか１項において、
前記噴射ノズルの噴射口の指向方向が前記主横排水管の軸線に対して傾斜するように設定されて、該噴射ノズルから噴射される洗浄液が該主横排水管の内面に沿って螺旋状に流れる螺旋流とされる、
ことを特徴とする建物の排水管洗浄構造。
【発明の詳細な説明】
【技術分野】
【０００１】
本発明は、建物の排水管洗浄構造に関するものである。
【背景技術】
【０００２】
多層階の建物では、各階からの排水を、横枝管（副横排水管）を介して縦排水管へと流すようになっている。例えば、マンションにおいては、縦排水管は、上下方向に重なり合う世帯毎に共通とされる一方、横方向に隣り合う世帯とは別個独立して設けられる。つまり、縦排水管は複数配設されるのが一般的である。
【０００３】
複数の縦排水管は、建物の低所に配設された主横排水管に接続される。そして、各縦排水管からの排水は、主横排水管を介して、最終的に下水道へと導かれる。
【０００４】
主横排水管が詰まると、縦排水管に対して排水が逆流してしまうことになり、極端な場合には、横枝管を経て低層階の床面に排水が溢れ出てしまうおそれすら生じる。このため、特許文献１には、噴射ノズルから主横排水管内に高圧の洗浄水を噴射して、主横排水管内を洗浄する技術が開示されている。特許文献１のものでは、上記噴射ノズルの上下高さ位置を、エア作動式のアクチュエータによって変更することも開示されている。
【０００５】
なお、特許文献１には、洗浄水の噴射や噴射ノズルの上下動を遠隔操作することもできる旨開示されている。ただし、特許文献１でいう遠隔操作は、洗浄作業現場に常時人手をおくことなく、必要なときにだけ人手をおけばよい、というもので、遠隔操作を行なうための具体的な構成は開示されていない。
【先行技術文献】
【特許文献】
【０００６】
【特許文献１】特許第５３７４６３３号公報
【発明の概要】
【発明が解決しようとする課題】
【０００７】
主横排水管に配設された噴射ノズルに対して洗浄水等の洗浄液を供給するには、次のような作業を行う必要があった。すなわち、例えば車両で搬送された洗浄液用ポンプ（高圧ポンプ）から延びる供給管を、主横排水管の高さ位置まで延ばして、噴射ノズルに接続する必要があった。
【０００８】
一方、多層階の建物では、低層階（例えば１階）が、駐車場や各種店舗用となる非居住区（商業施設区とも称される）とされて、高層階（例えば２階以上）を居住区としたものが多くなっている。低層階の各種店舗としては、コンビニエンスストア、スーパマーケット、ドラッグストア、トレーニング施設、各種学習教室、医院等、種々のものがある。
【０００９】
低層階が非居住区とされた場合、居住区用に配設された縦排水管が接続される主横排水管は、非居住区での排水とは区別して排水するために、非居住区の天井壁に沿って配設される。この場合、主横排水管の高さは、非居住区が１階のみの場合でも３ｍ〜４ｍあり、非居住区が２階分以上設定された場合は１０ｍを超える場合すらある。
【００１０】
上記のように、主横排水管が高い位置に配設されると、洗浄液用ポンプから延びる供給管を噴射ノズルに接続する作業や接続解除する作業に、多大な労力を強いられることになる。また、主横排水管は、非居住区での作業場の上方空間を横断するように配設されることも多いので、主横排水管の洗浄の際には、非居住区における業務の少なくとも一部を停止したり、通常設置してある棚等の備品を移動させる必要を生じることも多く、主横排水管の洗浄そのものが行い難い環境になってきている、というのが実情である。
【００１１】
本発明は以上のような事情を勘案してなされたもので、その目的は、主横排水管を非居住区の天井壁という高い位置に配設した場合でも、非居住区に対してなんら影響を与えることなく主横排水管を容易に洗浄できるようにした建物の排水管洗浄構造を提供することにある。
【課題を解決するための手段】
【００１２】
前記目的を達成するため、本発明にあっては次のような解決手法を採択してある。すなわち、請求項１に記載のように、
低層階が非居住区とされると共に該低層階の上に構築された高層階が居住区とされた建物の排水管洗浄構造であって、
前記居住区からの排水を下方へ導く縦排水管が、横方向に間隔をあけて複数本設けられ、
複数本の前記縦排水管が接続されて排水を下水道へ向けて流すための主横排水管が、前記非居住区の天井壁に沿って配設され、
前記主横排水管に、該主横排水管内に対して排水方向に向けて洗浄液を噴射するための噴射ノズルが設けられ、
前記噴射ノズルに洗浄液を供給する供給管が、前記天井壁に沿って配設されると共に、その先端部が建物の低所に設定された所定位置にまで延びるように配設され、
前記供給管の先端部が、洗浄液を供給するための洗浄液用ポンプが接続されるポンプ接続部とされている、
ようにしてある。
【００１３】
上記解決手法によれば、主横排水管内を洗浄する際には、建物の低所に設定された所定位置に存在するポンプ接続部に対して洗浄液用ポンプを接続した状態を確保するだけですみ、簡単に行うことができる。また、洗浄に際しては、非居住区での作業を一時的に停止したり、非居住区に設置されている棚等の備品を移動させる等の必要がなく、非居住区に対してなんら悪影響を与えることがないものである。なお、洗浄液用ポンプは、洗浄を行う毎にポンプ接続部に接続、接続解除するようにしてもよく（例えば洗浄液用ポンプを搭載した車両を利用した洗浄の場合に好適）、あるいは洗浄用ポンプを常時ポンプ接続部（つまり供給管）に接続した状態とすることもできる。
【００１４】
上記解決手法を前提とした好ましい態様は、次のとおりである。
【００１５】
前記ポンプ接続部に対して、前記洗浄液用ポンプが常時接続され、
前記建物には、前記洗浄液用ポンプの作動を制御するためのコントローラが配設されている、
ようにしてある（請求項２対応）。この場合、主横排水管の洗浄を極めて容易に行うことができる。
【００１６】
前記コントローラに、マニュアル操作されるポンプ用スイッチが接続され、
前記ポンプ用スイッチの操作に応じて、前記洗浄液用ポンプの作動と作動停止とが切換えられる、
ようにしてある（請求項３対応）。この場合、スイッチをマニュアル操作するだけで、主横排水管を洗浄することができる。
【００１７】
前記コントローラに、マニュアル操作によって設定時間が変更可能なタイマが接続され、
前記コントローラは、前記タイマの設定時間経過毎に、前記洗浄液用ポンプを作動させて前記噴射ノズルから洗浄液を噴射させる制御を行う、
ようにしてある（請求項４対応）。この場合、主横排水管の洗浄を設定時間毎に自動的に行えるようにして、主横排水管内を常時清浄に維持する上で極めて好ましいものである。
【００１８】
前記噴射ノズルは、前記主横排水管に対して上下方向に変位可能に設けられて、その噴射口の前記主横排水管内での高さ位置が変更可能とされ、
前記噴射ノズルを上下方向に駆動変位させるためのアクチュエータが設けられ、
前記アクチュエータの作動が、前記コントローラによって制御される、
ようにしてある（請求項５対応）。この場合、噴射ノズルの上下位置変更によって、主横排水管内をその高い位置から低い位置までの広い範囲に渡って十分に洗浄する上で好ましいものとなる。また、噴射ノズルの上下位置の変更を、コントローラを利用した遠隔操作によって簡単に行うことができる。
【００１９】
前記所定位置が、前記建物の周囲のうち、前記ポンプ接続部に接続される洗浄液用ポンプを搭載した車両が進入可能な位置またはその近傍とされている、ようにしてある（請求項６対応）。この場合、洗浄業者が、洗浄液用ポンプを搭載した車両を建物付近に搬入して洗浄を行う場合に好適となる。
【００２０】
前記噴射ノズルは、前記主横排水管に対して上下方向に変位可能に設けられて、その噴射口の前記主横排水管内での高さ位置が変更可能とされ、
前記噴射ノズルを上下方向に駆動変位させるためのエア作動式のアクチュエータが設けられ、
前記アクチュエータにエア圧を給排するためのエア配管が、前記天井壁に沿って配設されると共に、その先端部が前記所定位置にまで延びており、
前記エア配管の先端部が、エアポンプに接続されるエア接続部とされている、
ようにしてある（請求項７対応）。この場合、洗浄業者が搬入する車両に搭載されたエアポンプを利用して噴射ノズルの上下位置を変更する場合に好適となる。また、非居住区の天井壁に沿って配設されたエア配管は、たとえ漏れが生じてもエアが周囲に漏れ出るだけなので、非居住区に対して悪影響を与えないようにするという点でも好ましいものとなる。ちなみに、アクチュエータとして油圧式等の液圧式のものを用いた場合は、配管に漏れが生じると、非居住区に対して悪影響を与えてしまう可能性が高いものとなる。
【００２１】
前記噴射ノズルが、前記主横排水管の長手方向に間隔をあけて複数個設けられ、
複数の前記噴射ノズルが、前記供給管に対して並列に接続されている、
ようにしてある（請求項８対応）。この場合、供給管の数を極力少なくして、設置コストの低減や必要となる配設スペースを小さくする等の上で好ましいものとなる。
【００２２】
前記噴射ノズルが、前記主横排水管の長手方向に間隔をあけて複数個設けられ、
前記複数の噴射ノズルが、前記主横排水管に対して固定された固定配置とされ、
前記複数の噴射ノズルは、前記主横排水管の下流側に位置するほど、該主横排水管内での高さ位置が低い位置となるように設定されている、
ようにしてある（請求項９対応）。この場合、主横排水管は、下流側にいくほどその底壁に汚物が堆積しやくなるが、下流側の噴射ノズルの位置を低い位置に設定することにより、堆積した汚物を効果的に除去する上で好ましいものとなる。また、上流側の噴射ノズルは、高い位置に設定されているので、噴射ノズルに邪魔されることなく排水をスムーズに流す上で好ましいものとなる。
【００２３】
前記噴射ノズルが、前記主横排水管の長手方向に間隔をあけて複数個設けられ、
複数の前記噴射ノズルが、前記主横排水管に対して固定された固定配置とされ、
複数の前記噴射ノズルは、前記主横排水管内の高い位置に位置設定されると共にその噴射口の指向方向が斜め下方に向かうように設定されている、
ようにしてある（請求項１０対応）。この場合、主横排水管内の底壁部に汚物が堆積しやくなるが、この堆積した汚物を効果的に除去する上で好ましいものとなる。
【００２４】
前記噴射ノズルの近傍において、前記主横排水管の周囲の空気を該主横排水管内に吸い込むための空気孔が形成され、
前記噴射ノズルから噴射される洗浄水が、前記空気孔から空気を吸い込んでエアジェット流として前記主横排水管内を流れる、
ようにしてある（請求項１１対応）。この場合、洗浄効果をより十分に高める上で好ましいものとなる。
【００２５】
前記噴射ノズルの噴射口の指向方向が前記主横排水管の軸線に対して傾斜するように設定されて、該噴射ノズルから噴射される洗浄液が該主横排水管の内面に沿って螺旋状に流れる螺旋流とされる、ようにしてある（請求項１２対応）。この場合、螺旋流によって、主横排水管の内面のうち、上面から底面に渡る広い範囲でもって洗浄液が接触されるようにして、洗浄効果を高めることができる。
【発明の効果】
【００２６】
本発明によれば、主横排水管を非居住区の天井壁という高い位置に配設した場合でも、非居住区に対してなんら影響を与えることなく主横排水管を容易に洗浄できる。
【図面の簡単な説明】
【００２７】
【図１】本発明の一実施形態を簡略的に示す全体系統図。
【図２】主横排水管に対する複数の噴射ノズルの配設例を示す側面断面図。
【図３】噴射ノズルを上下駆動する機構例を示す正面図。
【図４】噴射ノズルを上下駆動する機構例を示す斜視図。
【図５】ポンプ接続部とエア接続部との一例を示す図。
【図６】噴射ノズルの別の配設例を示す側面断面図。
【図７】洗浄液用ポンプとエアポンプに対する制御系統例を示す図。
【発明を実施するための形態】
【００２８】
図１において、建物Ｔは、高層マンションとされている。建物Ｔは、低層階（下層階）となる１階部分が符号１Ｆで示される。１階部分１Ｆは、非居住区（商業施設区）とされている。２階およびそれよりも高層階（上層階）部分が符号２Ｆ〜ＮＦで示される（建物ＴはＮ階建て）。この２階からＮ階までの高層階部分が、居住区とされている。なお、図示を略すが、１階１Ｆの一部には、居住区専用のエントランスホールが設定されると共に、その脇に管理人室が設定されている。
【００２９】
居住区における同じ階には、横方向に並ぶ複数の世帯を有する設定となっている。建物Ｔには、居住区からの排水を下方へ導くために、複数本の縦排水管１が配設されている（配管スペースに配設）。各縦排水管１は、上下方向に重なる世帯について共通とされている（横方向に存在する世帯間については、縦排水管１が個別に設置）。なお、縦排水管１の上端開口部は、大気に開放されている（通気管構造）。
【００３０】
各縦排水管１には、上下方向に重なる位置関係にある各世帯から延びる横枝管２が接続されている。横枝管２には、洗面所、浴槽、キッチン、トイレ等の排水発生箇所からの排水（混合排水）が流れ込み、この排水は、縦排水管１を介して下方へと導かれる。
【００３１】
各縦排水管１はそれぞれ、主横排水管３に接続されている。主横排水管３は、非居住区としての１階の天井壁に沿って配設されている。より具体的には、主横排水管３は、１階１Ｆの天井と２階２Ｆの床との間の空間に形成された配設空間に配設されている。
【００３２】
主横排水管３は、建物Ｔの外壁近くにまで延びた後、下方へ延びる延長部位３ａとされている。この延長部位３ａは、末端排水管となるもので、敷地Ｓ内に埋設された貯溜マス４に連なっている。
【００３３】
居住区における各世帯からの排水は、横枝管２、縦排水管１、主横排水管３、延長部位３ａを介して、貯溜マス４に導かれる。そして、貯溜マス４内の排水は、放流管５を介して下水道６へと排出される。なお、貯溜マス４は浄化槽の機能を有するものでもよく、また、主横排水管３を、貯溜マス４を介することなく直接的に下水道６へ接続するようにしてもよい。
【００３４】
主横排水管３には、後述する噴射ノズル１０が配設されている（図１では、噴射ノズル１０は簡略化して示される）。噴射ノズル１０は、主横排水管３の長手方向に間隔をあけて、複数配設されている（例えば１５ｍ〜２０ｍ間隔での配設）。
【００３５】
複数の噴射ノズル１０はそれぞれ、図２に示すように、主横排水管３に対して固定配置されている。すなわち、噴射ノズル１０は、上下方向に延びて主横排水管３の上壁を液密に貫通する本体部１１と、本体部１１の先端部から略９０度折曲されたノズル部１２と、を有する。ノズル部１２の先端が、噴射口１２ａとされている。各噴射口１２ａ（ノズル部１２）の指向方向は、主横排水管３の排水方向（延長部位３ａに向かう方向）とされており、図２では、主横排水管３の軸線と平行な方向とされている。なお、噴射ノズル１０の主横排水管３に対する固定は、接着、ねじ式の固定具の利用等、種々選択できる。
【００３６】
各噴射ノズル１０は、供給される高圧の洗浄液（実施形態では洗浄水）を勢いよく噴射するものとなっている。噴射ノズル１０に対する高圧の洗浄液の供給は、供給管２０を介して行われる。供給管２０は、主横排水管３と同様に、１階１Ｆの天井壁と２階２Ｆの床との間の配設空間に配設されている。
【００３７】
供給管２０は、複数の噴射ノズル１０に対して（換言すれば１本の主横排水管３に対して）、１本のみ設けられている。そして、複数の噴射ノズル１０は１本の供給管２０に対して並列に接続されている。このように、複数の噴射ノズル１０について（１本の主横排水管３について）、供給管２０が最小限の１本ですむことから、各噴射ノズル１０に対して個別に供給管２０を設ける場合に比して、設置コスト低減や必要となる配設スペースが小さくてすむ等の上で好ましいものとなる。
【００３８】
噴射ノズル１０から洗浄液が勢いよく噴射されることにより、主横排水管３内の洗浄が行われる。図２に示す実施形態では、複数の噴射ノズル１０のうち、主横排水管３の下流側に位置するものほど、下方に位置するように設定されている。なお、複数の噴射ノズル１０の高さ位置の変更設定は、各噴射ノズル１０毎に高さ位置を変更するのではなく、主横排水管３の長手方向に複数のグループに分けて、全体として２段階設定（２グループ分け）や３段階設定（３グループ分け）での高さ変更としてもよい。
【００３９】
主横排水管３は、下流側にいくほど、その底壁に汚物が堆積しやくなるが、上記のように下流側の噴射ノズル１０の位置を低い位置に設定することにより、堆積した汚物を効果的に除去する上で好ましいものとなる。また、上流側の噴射ノズル１０は、高い位置に設定されているので、噴射ノズル１０に邪魔されることなく排水をスムーズに流す上で好ましいものとなる。
【００４０】
図２に示すように、主横排水管３の上壁には、噴射ノズル１０の近傍において、空気孔３ｂが形成されている。噴射ノズル１０から洗浄液が噴射された際に、主横排水管３の周囲の空気が、ベンチュリ効果によって空気孔３ｂから主横排水管３内に吸引される。これにより、噴射ノズル１０から噴射された洗浄液は、空気孔３ｂからの空気が混在されたエアジェット流となり、洗浄をより効果的に行う上で好ましいものとなる。主横排水管３内の排水が空気孔３ｂを通して外部へ漏れ出るのを防止するために、空気孔３ｂに逆止弁を設けたり、空気孔３ｂに対して上方へ延びる空気導入パイプを接続しておく等のこともできる。
【００４１】
前記供給管２０の先端部（上流側端部）は、最終的に、建物Ｔのうち、低所に設定される所定位置まで延びている。図１において、供給管２０の先端部は、上記所定位置に設置された接続ボックス３０内に位置されたポンプ接続部２０ａとされている（ポンプ接続部２０ａは図５をも参照）。所定位置の高さは、好ましくは、敷地Ｓに居る洗浄作業員の手が余裕をもって届く高さ範囲を選択するのが好ましい。また、所定位置は、図１に示すように、建物Ｔの敷地Ｓのうち、車両Ｖが進入可能な位置またはその近傍とされている。
【００４２】
上記車両Ｖは、洗浄液用ポンプ（高圧ポンプ）ＰＷを搭載している。主横排水管３内を洗浄する際には、この車両Ｖが上記所定位置（接続ボックス３０付近）で駐車される。そして、接続ボックス３０を開いた状態で、洗浄液用ポンプＰＷから延びる配管５０が、接続ボックス３０内に位置される供給管２０の先端部（つまりポンプ接続部２０ａ）に接続される。ポンプＰＷを運転することにより、高圧の洗浄水が、配管５０から供給管２０へと供給されて、各噴射ノズル１０から洗浄水が噴射される。なお、ポンプＰＷから吐出させるための洗浄水は、車両Ｖに搭載している貯溜タンク内の水を利用してもよいが、建物Ｔから供給される水道水を用いることもできる。
【００４３】
図３、図４は、本発明の第２の実施形態を示すものである。本実施形態では、噴射ノズル１０を上下方向に動き得るようにして、エア作動式のアクチュエータによって噴射ノズル１０の高さ位置を変更可能としたものである。
【００４４】
本実施形態では、主横排水管３の途中に接続されてその一部を構成する筒部材６０を有する。筒部材６０は、合成樹脂によって透明あるいは半透明に形成するのが好ましい。
【００４５】
筒部材６０の上面には、金属製の基板６１が固定されている（例えば接着）。基板６１の左右端部に形成されたフランジ部６１ａに対して、左右一対のエアシリンダ７０におけるシリンダ部７１の上端部が固定されている。左右一対のエアシリンダ７０の間に、筒部材６０が位置される。
【００４６】
基板６１の上方には、支持板６２が配設されている。この支持板６２に、左右一対のエアシリンダ７０におけるピストンロッド７２の先端部（上端部）が固定されている。
【００４７】
噴射ノズル１０は、その噴射口１２ａが筒部材６０内に位置される。また、噴射ノズル１０の本体部１１が、筒部材６０の上壁を摺動可能に貫通すると共に、支持板６２に固定されている。本体部１１の上端部は、支持板６２よりも上方に位置されて、この上端部に供給管２０が接続される。
【００４８】
エアシリンダ７０を伸長させることにより、支持板６２が上方へ駆動変位されて、噴射ノズル１０が上方位置とされる。エアシリンダ７０を縮長させることにより、支持板６２が下方へ駆動変位されて、噴射ノズル１０が下方位置とされる。このように、エアシリンダ７０によって、噴射ノズル１０の筒部材６０内（つまり主横排水管３内）での高さ位置が変更される。
【００４９】
エアシリンダ７０に対するエア圧の給排パイプが符号７３、７４で示される。エアパイプ７３はシリンダ部７１の下部に接続され、エアパイプ７４はシリンダ部７１の上部に接続されている。エアパイプ７３にエア圧を供給する一方、エアパイプ７４からエアを排出することにより、エアシリンダ７０が伸長される。エアパイプ７３からエアを排出する一方、エアパイプ７４からエア圧を供給することにより、エアシリンダ７０が縮長される。各エアパイプ７３、７４からのエア圧調整によって、エアシリンダ７０の伸長長さを任意に設定することもできる。
【００５０】
エアパイプ７３、７４は、分配具７５を介して、図３、図４では図示を略すエアポンプに接続される。分配具７５は、２つの接続部７５ａと７５ｂとを有している。接続部７５ａが左右一対のエアパイプ７３用とされ、接続部７５ｂが左右一対のエアパイプ７４用とされる。なお、分配具７５は、筒部材６０の外周に固定された上下一対の締結リング８１、８２に固定保持されている。締結リング８１、８２の筒部材６０に対する固定は、固定具８３によって締結リング８１、８２同士を強固に締結することにより行われている。基板６１を、上側の締結リング８１と一体成形あるいはこれに固定しておくこともできる。
【００５１】
接続部７５ａには、一点鎖線で示す接続パイプ７６の一端部が接続されている。接続パイプ７６の他端部は、エア接続部７６ａとされて、図１に示す接続ボックス３０内に位置されている（図５をも参照）。同様に、接続部７５ｂには、一点鎖線で示す接続パイプ７７の一端部が接続されている。接続パイプ７７の他端部は、エア接続部７７ａとされて、図１に示す接続ボックス３０内に位置されている（図５をも参照）。
【００５２】
各接続パイプ７６、７７は、主横排水管２や供給管２０と同様に、１階１Ｆの天井壁と２階２Ｆの床との間に形成された配設空間を通して配設されている。図１では、供給管２０と接続パイプ７５、７６を１本にまとめた状態で、破線でもってその配設態様を示してある。
【００５３】
図１に示すように、車両Ｖは、エアポンプＰＡをも搭載している。主横排水管３の洗浄の際には、エアポンプＰＡを、２本の配管５１を介して接続ボックス３０内のエア接続部７６ａ、７７ａに接続する。車両Ｖに搭載されたエア切換弁を操作（自動操作またはマニュアル操作）することによって、エア接続部７６ａ、７７ａに対するエアの給排（噴射ノズル１０の上下位置）が変更制御される。洗浄中に、噴射ノズル１０の高さ位置を随時変更することにより、主横排水管３内をその高い位置から低い位置に渡って効果的に洗浄することができる。
【００５４】
図６は、本発明の第３の実施形態を示すものである。なお、図６では、噴射ノズル１０を１つのみ示してあるが、実際には図２に示す場合と同様に、１本の主横排水管３に対して複数個設けられている。本実施形態では、噴射ノズル１０を高い位置に固定設置すると共に、その指向方向を斜め下方を向くように設定してある。これにより、噴射ノズル１０から噴射される洗浄液が、主横排水管３の内壁のうち汚物が堆積しやすい底壁部位に沿って流れる傾向を強めて、洗浄を効果的に行うことができる。また、噴射ノズル１０を高い位置に設定できるので、噴射ノズル１０に邪魔されることなく排水をスムーズに流す上で好ましいものとなる。
【００５５】
図７は、本発明の第４の実施形態を示すものである。本実施形態では、洗浄用の車両Ｖを利用することなく、建物Ｔにあらかじめ装備した設備でもって主横排水管３の洗浄を行えるようにしたものである。すなわち、洗浄液用ポンプＰＷ２（図１のＰＷ対応）と、エアポンプＰＡ２（図１におけるＰＡ対応）とをそれぞれ、あらかじめ建物Ｔに設置するようにしてある（例えば１階１Ｆや地下の一部に設けられている機械式に設置）。
【００５６】
また、マイクロコンピュータを利用して構成されたコントローラＵを建物Ｔ内（例えば管理人室）に設置するようにしてある。供給管２０は、１階１Ｆの天井壁に沿って配設された後、上記ポンプＰＷ２の設置場所付近でこれに接続される。同様に、エア配管７６、７７は、１階１Ｆの天井壁に沿って配設された後、上記ポンプＰＡ２の設置場所付近でこれに接続される。
【００５７】
コントローラＵには、それぞれマニュアル操作される２つのスイッチＳＷ１、ＳＷ２と、タイマＣＬとが接続されていて、ポンプＰＷ２、ＰＡ２の作動を制御する。スイッチＳＷ１は、洗浄液用ポンプＰＷ２用で、ＳＷ１をオン操作することによりポンプＰＷ２が作動されて噴射ノズル１０から洗浄液が噴射される。なお、ポンプＰＷ２は、ＳＷ１をオフ操作するまでの間作動し続けるようにしてもよく、あるいはＳＷ１のオン操作から所定の洗浄時間（例えば２０秒〜５０秒）だけ作動した後、自動的に作動停止するように制御することもできる。この所定の洗浄時間を、タイマＣＬでマニュアル設定（変更）することもできる。
【００５８】
噴射ノズル１０の上下位置変更の有無が、スイッチＳＷ２で切換えられる。すなわち、コントローラＵは、噴射ノズル１０の高さ位置を、スイッチＳＷ２で選択された高さ位置で固定されるように制御してもよく、噴射ノズル１０の高さ位置変更なし（あらかじめ設定された基準位置のまま）となるように制御してもよく、さらに洗浄中に噴射ノズル１０の高さ位置を所定時間（例えば３秒〜５秒）毎に自動変更することもできる。なお、コントローラＵは、噴射ノズル１０の高さ位置変更を、洗浄液用ポンプＳＷ２が作動しているときを条件として行うこともできる。また、コントローラＵは、実質的に、エアポンプＰＡ２の作動と共にこれに付設された切換弁をも制御するものとなっている（切換弁によるエアシリンダ７０に対するエア給排の切換え）。
【００５９】
タイマＣＬは、マニュアル操作によって、上述した所定の洗浄時間（ポンプＰＷ２が自動停止されるまでの作動時間）を設定するのに加えてあるいは代えて、自動洗浄を行う間隔を設定することもできる。この自動洗浄を行う間隔を、例えば３０日毎あるいは６０日毎というようにかなり短い間隔として設定することにより、頻繁に自動洗浄を行う場合に好適となる。一方、スイッチＳＷ１を利用した洗浄の実行は、定期的な洗浄を行う場合は勿論のこと、不定期に洗浄を行う場合に好ましいものとなる。
【００６０】
本実施形態では、ポンプＰＷ２、ＰＡ２やコントローラＵ等の建物Ｔの付帯設備が増加することになるが、主横排水管３を所望の時期に容易に洗浄できるという利点があり、主横排水管３内を常時清浄にしておくという点では極めて好ましいものとなる。
【００６１】
以上実施形態について説明したが、本発明は、実施形態に限定されるものではなく、特許請求の範囲の記載された範囲において適宜の変更が可能であり、例えば次のような場合をも含むものである。
（１）建物Ｔが、図１の紙面直角方向にずれた位置において別の世帯を有する場合は、この別の世帯についても図１に示すのを同様の排水構造を構築すればよい。この場合、主横排水管３が複数本存在することにもなるが、貯溜マス４は共通とすることができる。
（２）非居住区としての低層階は、１階のみに限らず、２階分以上の階数について設定されていもよい。また、建物Ｔとしては、マンションに限らず、ホテル、旅館、学校や会社の寮等、宿泊施設を有するものであれば適宜のものを含むものである（居住区は、住居用のみならず宿泊用区域を含むものである）。
（３）噴射ノズル１０を上下駆動するアクチュエータとしては、エアシリンダ７０に限らず、液圧式や電磁駆動式等、適宜の形式のものを採択できる。もっとも、エア作動式のものを用いるのが、エア配管となる接続パイプ７６、７７に漏れが生じても周囲に対する悪影響が実質的に生じないという点で好ましいものである。
（４）１本の主横排水管３に対して設置される噴射ノズル１０の数は、１個でもよく、また２以上の適宜の数とすることができる。
（５）便器から排出される汚水の排出経路と、キッチンや浴槽から排出される雑排水の排水経路とを別個独立して構成してもよい。この場合、各排出経路における主横排水管について噴射ノズル１０を設ければよい。
（６）洗浄液としては、水のみを用いる以外に、水に洗剤あるいはオゾンを溶かしたもの等、洗浄液として従来から使用されている適宜のものを使用することができる。
（７）エアシリンダ７０として、リターンスプリングによって一方向（例えば伸長方向あるいは縮長方向）に付勢されたものを用いることができる。この場合、エア圧はリターンスプリングに抗する方向に供給するのみでよいので、エアの給排経路を簡素化する上で好ましいものとなる（接続パイプ７６、７７のうちいずれか一方のみを設ければよい）。
（７）噴射ノズル１０の噴射方向の設定によって、例えば噴射方向を主横排水管３の軸線に対して横方向および上下方向にそれぞれ傾斜するように設定して、噴射ノズル１０から噴射される洗浄液が主横排水管３内で螺旋流となるようにすることもできる。螺旋流によって、主横排水管３の内面のうち、上面から底面に渡る広い範囲でもって洗浄液が接触されるようにして、洗浄効果を高めることができる。勿論、本発明の目的は、明記されたものに限らず、実質的に好ましいあるいは利点として表現されたものを提供することをも暗黙的に含むものである。
【産業上の利用可能性】
【００６２】
本発明は、非居住区を有する建物の排水管洗浄構造として好適である。
【符号の説明】
【００６３】
Ｔ：建物
Ｓ：敷地
Ｖ：車両
ＰＷ：洗浄液用ポンプ
ＰＡ：エアポンプ
Ｕ：コントローラ
ＰＷ２：洗浄液用ポンプ（図７）
ＰＡ２：エアポンプ（図７）
ＳＷ１：スイッチ（図７）
ＳＷ２：スイッチ（図７）
ＣＬ：タイマ（図７）
１Ｆ：１階（非居住区）
２Ｆ：２階（居住区）
３Ｆ：３階（居住区）
ＮＦ：Ｎ階（居住区）
１：縦排水管
２：横枝管
３：主横排水管
３ａ：延長部位（末端配管）
３ｂ：空気孔
４：貯溜マス
５：放流管
６：下水道
１０：噴射ノズル
１１：本体部
１２：ノズル部
１２ａ：噴射口
２０：供給管（洗浄液供給用）
２０ａ：ポンプ接続部
３０：接続ボックス（所定位置）
５０：配管（車両からの洗浄液供給用）
５１：配管（車両からのエア供給用）
７０：エアシリンダ（アクチュエータ）
７１：シリンダ
７２：ピストンロッド
７６：接続パイプ（エア供給用）
７６ａ：エア接続部
７７：接続パイプ（エア供給用）
７７ａ：エア接続部
【図１】
2020012307.tif 000003
【図２】
2020012307.tif 000004
【図３】
2020012307.tif 000005
【図４】
2020012307.tif 000006
【図５】
2020012307.tif 000007
【図６】
2020012307.tif 000008
【図７】
2020012307.tif 000009